(57)【要約】【課題】  左操作仕様及び右操作仕様に共通して使用可能としながら、操作コードの吊下げ位置とサッシ端部との間隔の変化を防止し得る複層ガラス内蔵ブラインドの操作装置を提供する。【解決手段】  複層ガラスサッシに横型ブラインド２を内蔵し、ガラス面上に外部操作装置を取着し、横型ブラインド２のヘッドボックス１５内には外部操作装置３により無接触で駆動される内部操作装置２２を設け、外部操作装置から操作コード４を垂下し、該操作コードを操作することにより外部操作装置及び内部操作装置を介して駆動軸１６を駆動して、横型ブラインドのスラット５の昇降あるいは角度調節操作を行う複層ガラス内蔵ブラインドにおいて、外部操作装置３には、操作コード４を取り出し可能とした取り出し孔８ａ，８ｂを、上下方向に線対称状に２箇所設けた。【選択図】      図４
2005188067.tif 000002
【特許請求の範囲】
【請求項１】
複層ガラスサッシに横型ブラインドを内蔵し、ガラス面上に外部操作装置を取着する支持手段を備え、前記外部操作装置に対向する位置において、前記横型ブラインドのヘッドボックス内には前記外部操作装置により無接触で駆動される内部操作装置を設け、前記内部操作装置により駆動軸を操作可能とし、前記外部操作装置から操作コードを垂下し、該操作コードを操作することにより前記外部操作装置及び内部操作装置を介して前記駆動軸を駆動して、前記横型ブラインドのスラットの昇降あるいは角度調節操作を行う複層ガラス内蔵ブラインドにおいて、
前記外部操作装置には、前記操作コードを取り出し可能とした取り出し孔を、上下方向に線対称状に２箇所設けたことを特徴とする複層ガラス内蔵ブラインドの操作装置。
【請求項２】
前記支持手段は、ガラス面上に設けた支持部材と、前記外部操作装置に上下方向に線対称状に設けられ、前記支持部材に取着可能とした係合手段とで構成したことを特徴とする請求項１記載の複層ガラス内蔵ブラインドの操作装置。
【請求項３】
前記外部操作装置は、外部ケース内に前記操作コードの操作に基づいて回転されるプーリーと、該プーリーの回転に基づいて回転される駆動マグネットとを備え、前記内部操作装置は、前記駆動マグネットの回転に基づいて回転される被動マグネットを備え、前記被動マグネットの回転に基づいて前記駆動軸を駆動可能としたことを特徴とする請求項１または２記載の複層ガラス内蔵ブラインドの操作装置。
【請求項４】
前記支持部材は、前記複層ガラスサッシの上枠から吊下支持されるハンガーで構成し、前記係合手段は前記ハンガーに掛止め可能とした掛止め部で構成したことを特徴とする請求項２または３記載の複層ガラス内蔵ブラインドの操作装置。
【請求項５】
前記外部操作装置は、前記外部ケースの一側から前記操作コードを垂下し、前記外部ケース内の他側に前記駆動マグネットを設け、前記サッシの右上隅部あるいは左上隅部のいずれかに前記操作コードがサッシの縦枠側に垂下されるように取着したことを特徴とする請求項１乃至４のいずれか１項に記載の複層ガラス内蔵ブラインドの操作装置。
【請求項６】
前記内部操作装置は、前記被動マグネットと前記駆動軸との間に減速装置を備え、前記外部操作装置は前記駆動マグネットが前記サッシの縦枠側に位置するように取着したことを特徴とする請求項１乃至４のいずれか１項に記載の複層ガラス内蔵ブラインドの操作装置。
【発明の詳細な説明】
【技術分野】
【０００１】
この発明は、複層ガラスサッシに内蔵される横型ブラインドの操作装置に関するものである。
【背景技術】
【０００２】
横型ブラインドが内蔵される複層ガラスサッシでは、外部から横型ブラインドのスラットを昇降し、あるいは角度調節するための操作装置が設けられる。この操作装置は、横型ブラインドをサッシの外部から操作可能としながら、サッシ内外の気密性を確保して、防音及び断熱性を確保することが必要である。
【０００３】
このような操作装置の一例として、非特許文献１に記載された操作装置では、操作コードの操作により外部マグネットを回転させ、その外部マグネットの回転に基づいてサッシ内で回転可能に支持された内部マグネットを回転させる。そして、内部マグネットの回転に基づいてスラット駆動軸を回転駆動して、スラットの昇降あるいは角度調節が行われる。
【０００４】
詳細に説明すると、操作装置の外部ケースの一側には、操作コードを引き出すための引出し孔が設けられ、その引出し孔から垂下される操作コードを操作すると、外部ケース内で回転可能に支持されたプーリーが回転される。そのプーリーの回転に基づいて、操作ケース内の他側に配設される外部マグネットが回転される。
【０００５】
サッシ内に支持されるヘッドボックス内において、外部マグネットに対向する位置には内部マグネットが回転可能に支持され、外部マグネットの回転に基づいて内部マグネットが回転される。そして、内部マグネットの回転が減速装置を介してスラット駆動軸に伝達され、スラットの昇降あるいは角度調節が行われる。
【０００６】
特許文献１には、操作コードをブラインドの前後両側のいずれにも引き出し可能とした操作装置が開示されている。
【非特許文献１】登録意匠１１６２７７４号公報
【特許文献１】実公平４−８２３１号公報
【発明の開示】
【発明が解決しようとする課題】
【０００７】
特許文献１に記載された操作装置では、例えばサッシの左側端部に外部ケースを取着する左操作仕様の場合、外部ケースの左端部から操作コードが垂下される。この外部ケースを右操作仕様のサッシに使用すると、サッシの右端部に取着されるため、左操作仕様で使用する場合に比して操作コードがサッシの内側寄りに垂下される。
【０００８】
従って、共通の外部ケースを左操作仕様あるいは右操作仕様として使用すると、操作コードの吊下げ位置とサッシ端部との間隔が変化するため、美観上好ましくないという問題点がある。
【０００９】
この発明の目的は、左操作仕様及び右操作仕様に共通して使用可能としながら、操作コードの吊下げ位置とサッシ端部との間隔を一定とし得る複層ガラス内蔵ブラインドの操作装置を提供することにある。
【課題を解決するための手段】
【００１０】
請求項１では、複層ガラスサッシに横型ブラインドを内蔵し、ガラス面上に外部操作装置を取着する支持手段を備え、前記外部操作装置に対向する位置において、前記横型ブラインドのヘッドボックス内には前記外部操作装置により無接触で駆動される内部操作装置を設け、前記内部操作装置により駆動軸を操作可能とし、前記外部操作装置から操作コードを垂下し、該操作コードを操作することにより前記外部操作装置及び内部操作装置を介して前記駆動軸を駆動して、前記横型ブラインドのスラットの昇降あるいは角度調節操作を行う複層ガラス内蔵ブラインドにおいて、前記外部操作装置には、前記操作コードを取り出し可能とした取り出し孔を、上下方向に線対称状に２箇所設けた。
【００１１】
請求項２では、前記支持手段は、ガラス面上に設けた支持部材と、前記外部操作装置に上下方向に線対称状に設けられ、前記支持部材に取着可能とした係合手段とで構成した。
請求項３では、前記外部操作装置は、外部ケース内に前記操作コードの操作に基づいて回転されるプーリーと、該プーリーの回転に基づいて回転される駆動マグネットとを備え、前記内部操作装置は、前記駆動マグネットの回転に基づいて回転される被動マグネットを備え、前記被動マグネットの回転に基づいて前記スラット駆動軸を駆動可能とした。
【００１２】
請求項４では、前記支持部材は、前記複層ガラスサッシの上枠から吊下支持されるハンガーで構成し、前記係合手段は前記ハンガーに掛止め可能とした掛止め部で構成した。
請求項５では、前記外部操作装置は、前記外部ケースの一側から前記操作コードを垂下し、前記外部ケース内の他側に前記駆動マグネットを設け、前記サッシの右上隅部あるいは左上隅部のいずれかに前記操作コードがサッシの縦枠側に垂下されるように取着した。
【００１３】
請求項６では、前記内部操作装置は、前記被動マグネットと前記駆動軸との間に減速装置を備え、前記外部操作装置は前記駆動マグネットが前記サッシの縦枠側に位置するように取着した。
【発明の効果】
【００１４】
本発明によれば、左操作仕様及び右操作仕様に共通して使用可能としながら、操作コードの吊下げ位置とサッシ端部との間隔を一定とし得る複層ガラス内蔵ブラインドの操作装置を提供することができる。
【発明を実施するための最良の形態】
【００１５】
以下、本発明を具体化した一実施の形態を図面に従って説明する。図１及び図２に示す右操作仕様の複層ガラス内蔵ブラインドは、二重ガラスサッシ１ａ内に横型ブラインド２が配設され、室内側のガラス面の右上隅部に外部操作装置として外部ケース３が取着される。そして、外部ケース３から垂下される操作コード４を操作することにより、横型ブラインドのスラット５が昇降あるいは角度調節される。
【００１６】
前記操作装置の具体的構成を説明すると、前記外部ケース３は上下及び左右方向に対称状に形成され、図４に示すように、その内部に伝達軸６が回転可能に支持されている。前記伝達軸６の一側にはプーリー７が嵌着され、そのプーリー７の上方及び下方において外部ケース３には前記操作コード４の取り出し孔８ａ，８ｂがそれぞれ設けられている。
【００１７】
そして、前記プーリー７には操作コード４が掛装され、その操作コード４が一方の取り出し孔８ａから取り出されて垂下されている。従って、操作コード４の操作によりプーリー７が回転されると、伝達軸６が回転される。
【００１８】
また、外部ケース３内にはプーリー７に向かって突出するリブ２４ａ，２４ｂが形成され、操作コード４を操作するとき、操作コード４のプーリー７からの脱落を防止するようになっている。
【００１９】
前記伝達軸６の他側には駆動マグネット９が嵌着され、伝達軸６の回転にともなって回転されるようになっている。
前記外部ケース３の背面には取付板１０が取着され、その取付板１０の上下両端部はそれぞれ互いに近づく方向に鉤型に折り曲げられて、掛止め部１１ａ，１１ｂが係合手段として形成されている。
【００２０】
前記二重ガラスサッシ１ａの室内側のガラス面の右上隅部には、ハンガー１２が支持部材として設けられている。このハンガー１２は、図４に示すように、その上端部が二重ガラスサッシ１ａの上枠１３とガラス板１４との間に挟着固定され、下端部は室内側のガラス面に沿って下方へ延設されるとともに、上方の鉤型に屈曲されて、前記掛止め部１１ａ，１１ｂのいずれかを係止可能となっている。このようなハンガー１２及び掛止め部１１ａ，１１ｂにより外部ケース３をガラス面上に取着するための支持手段が構成される。
【００２１】
そして、この右操作仕様では外部ケース３の掛止め部１１ａがハンガー１２に支持され、操作コード４が外部ケース３の右端側、すなわち二重ガラスサッシ１ａの右側の縦枠近傍に吊下支持される。
【００２２】
前記横型ブラインド２は、図２に示すように、二重ガラスサッシ１ａ内において、前記上枠１３の近傍にヘッドボックス１５が固定される。図３に示すように、前記ヘッドボックス１５内には駆動軸１６が回転可能に支持され、その駆動軸１６にはヘッドボックス１５の長手方向複数箇所において巻取りプーリー１７とラダーコード支持ドラム１８が取着されている。
【００２３】
前記ラダーコード支持ドラム１８にはラダーコード１９が取着され、そのラダーコード１９に多数段のスラット５が支持されている。そして、駆動軸１６の回転に基づいてラダーコード支持ドラム１８が回転されると、ラダーコード１９を介して各スラット５が同位相で回動される。なお、各スラット５がほぼ垂直方向まで回動された後は、駆動軸１６とラダーコード支持ドラム１８との間で空回りが生じ、スラット５の同方向へのそれ以上の回動が阻止されるようになっている。
【００２４】
前記スラット５には複数箇所において昇降コード２０が挿通され、その昇降コード２０の下端にはボトムレール２１が取着され、上端部は前記巻取りプーリー１７に巻着されている。従って、駆動軸１６の回転により巻取りプーリー１７が回転されると、昇降コード２０が巻取りプーリー１７に巻き取られ、あるいは巻戻されてボトムレール２１が昇降され、そのボトムレール２１の昇降に基づいてスラット５が昇降されるようになっている。
【００２５】
前記ヘッドボックス１５の右端部には、前記外部ケース３内の駆動マグネット９に対向する位置に被動マグネット２２が回転可能に支持され、その被動マグネット２２は駆動マグネット９の回転に基づいて回転される。
【００２６】
前記被動マグネット２２の回転は、減速装置２３を介して前記駆動軸１６に伝達される。従って、被動マグネット２２及び減速装置２３が内部操作装置として作用し、被動マグネット２２が回転されると、その回転が減速されて、駆動軸１６に伝達される。
【００２７】
さて、上記のように構成された複層ガラス内蔵ブラインドでは、操作コード４を操作して駆動マグネット９を回転させると、ヘッドボックス１５内で被動マグネット２２が回転され、その被動マグネット２２の回転に基づいて駆動軸１６が回転される。
【００２８】
駆動軸１６の回転に基づいて、巻取りプーリー１７が昇降コード２０の巻取り方向に回転されると、昇降コード２０が巻取りプーリー１７に巻き取られて、スラット５が引き上げられる。このとき、スラット５はほぼ垂直方向に回動された後は、同方向にそれ以上回動されない。
【００２９】
また、巻取りプーリー１７が昇降コード２０の巻戻し方向に回転されると、昇降コード２０が巻取りプーリー１７から巻戻されて、スラット５が下降される。このとき、スラット５はほぼ垂直方向に回動された後は、同方向にそれ以上回動されない。
【００３０】
前記外部ケース３は、右操作仕様の操作装置として使用することもできる。この場合には、図５に示すように、取り出し孔８ａから取り出されていた操作コード４を取り出し孔８ｂから取り出し、上下方向にひっくり返す。
【００３１】
そして、図６に示すように、左操作仕様の二重ガラスサッシ１ｂの左上隅部に取着する。この二重ガラスサッシ１ｂはヘッドボックス１５の左端部に被動マグネット及び減速装置が設けられている。
【００３２】
このように構成することにより、操作コード４は二重ガラスサッシ１ｂの左側の縦枠近傍に垂下され、その操作コード４を操作することにより、スラット５の昇降及び角度調節操作を行うことができる。
【００３３】
また、図７は右操作仕様の二重ガラスサッシ１ａに対し、外部ケース３を図１に示す状態に対し左右方向に逆に取着する場合を示す。このような構成とすることにより、ヘッドボックス１５内での被動マグネット及び減速装置の配設位置を、図１に示す場合よりさらにヘッドボックス１５の端部側に配置することが可能となる。
【００３４】
この結果、スラット５の端部近傍を支持するラダーコード１９において、そのラダーコード支持ドラム１８の位置をヘッドボックス１５の端部側に移動させて、ラダーコード１９によるスラット支持位置をさらにスラット端部側に移動させることができる。
【００３５】
上記のように構成された複層ガラス内蔵ブラインドの操作装置では、次に示す作用効果を得ることができる。
（１）外部ケース３は、その取り出し孔８ａ，８ｂのいずれかから操作コード４を取り出し可能とし、掛止め部１１ａ，１１ｂのいずれかを使用してハンガー１２に取付可能としたので、上下方向にひっくり返して使用することができる。従って、右操作仕様及び左操作仕様において、共通の外部ケース３を使用することができる。
（２）右操作仕様及び左操作仕様において、操作コード４の吊下位置と最寄りの縦枠との間隔を一定とすることができるので、美観を向上させることができる。特に、右操作仕様のサッシと、左操作仕様のサッシとを引き違い操作する構成において、操作コード４の吊下位置と最寄りの縦枠との間隔を一定とすることができるので、美観を向上させることができる。
（３）外部ケース３に対し、操作コード４をサッシの中央側に垂下させることにより、スラット５の端部を支持するラダーコード１９を、スラット５の端部側に配置することができる。従って、スラット５の端部からラダーコード１９による支持位置までの長さを短くして、スラット５端部の自重垂れを防止することができる。特に、複層ガラス内蔵ブラインドにおいてスラットの幅が狭い場合に有効である。
（４）リブ２４ａ，２４ｂによりプーリー７からの操作コード４の脱落を防止することができる。
【００３６】
上記実施の形態は、以下の態様で実施してもよい。
・ハンガー１２及び掛止め部１１ａ，１１ｂの形状は、外部ケース３を支持可能とする形状であれば、上記形状に限定されるものではない。
・駆動マグネット９と被動マグネット２２との間の互いの吸引力により、外部ケース３をガラス面上に支持可能とすれば、ハンガー１２及び掛止め部１１ａ，１１ｂを省略してもよい。
【図面の簡単な説明】
【００３７】
【図１】一実施の形態を示す正面図である。
【図２】一実施の形態を示す側面図である。
【図３】横型ブラインドを示す正面図である。
【図４】操作装置を示す側面図である。
【図５】右操作仕様を左操作仕様に変更する操作を示す説明図である。
【図６】左操作仕様とした場合を示す側面図である。
【図７】右操作仕様の別の使用例を示す正面図である。
【符号の説明】
【００３８】
１ａ，１ｂ    二重ガラスサッシ
２        横型ブラインド
３        外部操作装置（外部ケース）
４        操作コード
５        スラット
８ａ，８ｂ        取り出し孔
１１ａ，１１ｂ      係合手段（掛止め部）
１２      支持部材（ハンガー）
１５      ヘッドボックス
１６      駆動軸
２２      内部操作装置（被動マグネット）
２３      内部操作装置（減速装置）
【図１】
2005188067.tif 000003
【図２】
2005188067.tif 000004
【図３】
2005188067.tif 000005
【図４】
2005188067.tif 000006
【図５】
2005188067.tif 000007
【図６】
2005188067.tif 000008
【図７】
2005188067.tif 000009